(57)【要約】【課題】本発明の目的は、伝送データ量が所定以下の場合に無線送信するデータの伝送時間を短縮することにある。【解決手段】本発明の無線通信システムは、データ端末装置と、当該データ端末装置と接続され、当該データ端末装置から受信したデータを無線送信する無線通信装置とを備えた無線通信システムであって、データ端末装置は無線通信装置にデータを送信する際に、当該データが所定容量以上であるか否かを示す容量情報を送信し、無線通信装置は容量情報に基づいて、データ端末装置から受信するデータが所定容量より小さければ当該データを信号フレームの中の同期バースト部分に含めて送信し、当該データが所定容量以上であれば当該データを信号フレームの中の同期バースト部分より後段のデータ部分に含めて送信することを特徴とする。【選択図】  図１
2015095761.tif 000002
【特許請求の範囲】
【請求項１】
データ端末装置と、当該データ端末装置と接続され、当該データ端末装置から受信したデータを無線送信する無線通信装置とを備えた無線通信システムであって、
前記データ端末装置は、前記無線通信装置にデータを送信する際に、当該データが所定容量以上であるか否かを示す容量情報を送信し、
前記無線通信装置は、前記容量情報に基づいて、前記データ端末装置から受信するデータが所定容量より小さければ当該データを信号フレームの中の同期バースト部分に含めて送信し、当該データが所定容量以上であれば当該データを信号フレームの中の同期バースト部分より後段のデータ部分に含めて送信することを特徴とする、無線通信システム。
【請求項２】
データ端末装置と、当該データ端末装置と接続され、当該データ端末装置から受信したデータを無線送信する無線通信装置とを備えた無線通信システムであって、
前記データ端末装置は、前記無線通信装置にデータを送信する際に、当該データが所定容量以上であるか否かを示す容量情報であるコマンドを送信し、
前記無線通信装置は、前記コマンドに基づいて、前記データ端末装置から受信するデータが所定容量より小さければ当該データを信号フレームの中の同期バースト部分に含めて送信し、当該データが所定容量以上であれば当該データを信号フレームの中の同期バースト部分より後段のデータ部分に含めて送信することを特徴とする、無線通信システム。
【請求項３】
データ端末装置と、当該データ端末装置と接続され、当該データ端末装置から受信したデータを無線送信する無線通信装置とを備えた無線通信システムであって、
前記データ端末装置は、前記無線通信装置にデータを送信する際に、当該データが所定容量以上であるか否かを示す容量情報である制御信号を送信し、
前記無線通信装置は、前記制御信号に基づいて、前記データ端末装置から受信するデータが所定容量より小さければ当該データを信号フレームの中の同期バースト部分に含めて送信し、当該データが所定容量以上であれば当該データを信号フレームの中の同期バースト部分より後段のデータ部分に含めて送信することを特徴とする、無線通信システム。
【請求項４】
請求項１に記載の無線通信システムであって、
前記容量情報はコマンドまたは制御信号から選択できることを特徴とする、無線通信システム。
【請求項５】
外部から受信した容量情報を含むデータを無線送信する無線通信装置であって、
前記無線通信装置は、前記容量情報に基づいて、外部から受信するデータが所定容量より小さければ当該データを信号フレームの中の同期バースト部分に含めて送信し、当該データが所定容量以上であれば当該データを信号フレームの中の同期バースト部分より後段のデータ部分に含めて送信することを特徴とする、無線通信装置。
【請求項６】
データ端末装置と、当該データ端末装置と接続され、当該データ端末装置から受信したデータを無線送信する無線通信装置とを備えた無線通信システムの無線通信方法であって、
前記データ端末装置は、当該データと、当該データが所定容量以上であるか否かを示す容量情報を前記無線通信装置に送信し、
前記無線通信装置は、受信した前記容量情報に基づいて、受信するデータが所定容量より小さいか否かを判定し、当該データの容量が所定以下であれば当該データを信号フレームの中の同期バースト部分に含めて送信し、当該データが所定容量以上であれば当該データを信号フレームの中の同期バースト部分より後段のデータ部分に含めて送信することを特徴とする、無線通信システムの無線通信方法。
【請求項７】
外部から受信した容量情報を含むデータを無線送信する無線通信装置の無線通信方法であって、
前記無線通信装置は、受信した前記容量情報に基づいて、受信するデータが所定容量より小さいか否かを判定し、当該データの容量が所定以下であれば当該データを信号フレームの中の同期バースト部分に含めて送信し、当該データが所定容量以上であれば当該データを信号フレームの中の同期バースト部分より後段のデータ部分に含めて送信することを特徴とする、無線通信システムの無線通信方法。
【発明の詳細な説明】
【技術分野】
【０００１】
本発明は、無線通信システムおよび無線通信装置に関するものである。
【背景技術】
【０００２】
従来、データ端末装置と無線通信装置とが接続され、データ端末装置から出力されたデータを無線通信装置から無線伝送する無線通信システムは、データを無線通信装置から順次送信していた。
【０００３】
また、データ通信速度の異なる無線通信端末が混在したシステムであっても、無線通信端末用アダプタの構造やＤＴＥ（Data  Terminal  Equipment）制御のためのプログラムを変更することなく無線通信端末のデータ通信速度設定を可能とする無線通信端末の技術が開示されている（例えば、特許文献１参照。）。
【０００４】
また、現在実用化されているデジタル無線システムとして、社団法人電波産業会が策定したＡＲＩＢ  ＳＴＤ−Ｔ１０２（Association  of  Radio  Industries  and  Businesses  Standard-T102：非特許文献１）で定められている移動通信システム等がある。
ＡＲＩＢ  ＳＴＤ−Ｔ１０２によるデータ伝送は、同期バーストデータ送信後に伝送データを２フレーム以上使用し送信していた。
【先行技術文献】
【特許文献】
【０００５】
【特許文献１】特開２０１０−９８４０５号公報
【非特許文献】
【０００６】
【非特許文献１】ＡＲＩＢ  ＳＴＤ−Ｔ１０２、「狭帯域デジタル通信方式（ＳＣＰＣ／４値ＦＳＫ方式）」、社団法人電波産業会
【発明の概要】
【発明が解決しようとする課題】
【０００７】
本発明の目的は、伝送データ量が所定以下の場合に無線送信するデータの伝送時間を短縮することにある。
【課題を解決するための手段】
【０００８】
本発明の無線通信システムは、データ端末装置と、当該データ端末装置と接続され、当該データ端末装置から受信したデータを無線送信する無線通信装置とを備えた無線通信システムであって、データ端末装置は無線通信装置にデータを送信する際に、当該データが所定容量以上であるか否かを示す容量情報を送信し、無線通信装置は容量情報に基づいて、データ端末装置から受信するデータが所定容量より小さければ当該データを信号フレームの中の同期バースト部分に含めて送信し、当該データが所定容量以上であれば当該データを信号フレームの中の同期バースト部分より後段のデータ部分に含めて送信することを特徴とする。
【０００９】
本発明の無線通信システムは、データ端末装置と、当該データ端末装置と接続され、当該データ端末装置から受信したデータを無線送信する無線通信装置とを備えた無線通信システムであって、データ端末装置は無線通信装置にデータを送信する際に、当該データが所定容量以上であるか否かを示す容量情報であるコマンドを送信し、無線通信装置はコマンドに基づいて、データ端末装置から受信するデータが所定容量より小さければ当該データを信号フレームの中の同期バースト部分に含めて送信し、当該データが所定容量以上であれば当該データを信号フレームの中の同期バースト部分より後段のデータ部分に含めて送信することを特徴とする。
【００１０】
本発明の無線通信システムは、データ端末装置と、当該データ端末装置と接続され、当該データ端末装置から受信したデータを無線送信する無線通信装置とを備えた無線通信システムであって、データ端末装置は無線通信装置にデータを送信する際に、当該データが所定容量以上であるか否かを示す容量情報である制御信号を送信し、無線通信装置は制御信号に基づいて、データ端末装置から受信するデータが所定容量より小さければ当該データを信号フレームの中の同期バースト部分に含めて送信し、当該データが所定容量以上であれば当該データを信号フレームの中の同期バースト部分より後段のデータ部分に含めて送信することを特徴とする。
【００１１】
本発明の無線通信システムは、データ端末装置と、当該データ端末装置と接続され、当該データ端末装置から受信したデータを無線送信する無線通信装置とを備えた無線通信システムであって、データ端末装置は無線通信装置にデータを送信する際に、当該データが所定容量以上であるか否かを示す容量情報を送信し、無線通信装置は容量情報に基づいて、データ端末装置から受信するデータが所定容量より小さければ当該データを信号フレームの中の同期バースト部分に含めて送信し、当該データが所定容量以上であれば当該データを信号フレームの中の同期バースト部分より後段のデータ部分に含めて送信し、容量情報はコマンドまたは制御信号から選択できることを特徴とする。
【００１２】
本発明の無線通信装置は、外部から受信した容量情報を含むデータを無線送信する無線通信装置であって、無線通信装置は、容量情報に基づいて、外部から受信するデータが所定容量より小さければ当該データを信号フレームの中の同期バースト部分に含めて送信し、当該データが所定容量以上であれば当該データを信号フレームの中の同期バースト部分より後段のデータ部分に含めて送信することを特徴とする。
【００１３】
本発明の無線通信システムの無線通信方法は、データ端末装置と、当該データ端末装置と接続され、当該データ端末装置から受信したデータを無線送信する無線通信装置とを備えた無線通信システムの無線通信方法であって、データ端末装置は当該データと、当該データが所定容量以上であるか否かを示す容量情報を無線通信装置に送信し、無線通信装置は受信した容量情報に基づいて、受信するデータが所定容量より小さいか否かを判定し、当該データの容量が所定以下であれば当該データを信号フレームの中の同期バースト部分に含めて送信し、当該データが所定容量以上であれば当該データを信号フレームの中の同期バースト部分より後段のデータ部分に含めて送信することを特徴とする。
【００１４】
本発明の無線通信システムの無線通信方法は、外部から受信した容量情報を含むデータを無線送信する無線通信装置の無線通信方法であって、無線通信装置は受信した容量情報に基づいて、受信するデータが所定容量より小さいか否かを判定し、当該データの容量が所定以下であれば当該データを信号フレームの中の同期バースト部分に含めて送信し、当該データが所定容量以上であれば当該データを信号フレームの中の同期バースト部分より後段のデータ部分に含めて送信することを特徴とする。
【発明の効果】
【００１５】
本発明によれば、伝送データ量が所定以下の場合は無線送信するデータの伝送時間を短縮することができる。
【図面の簡単な説明】
【００１６】
【図１】本発明の一実施例である無線通信システムを説明するための図である。
【図２】本発明の一実施例である無線通信システムの容量情報がコマンドであり、データ容量が所定以上の場合の動作を説明するためのタイミングチャートである。
【図３】本発明の一実施例である無線通信システムの容量情報がコマンドであり、データ容量が所定以下の場合の動作を説明するためのタイミングチャートである。
【図４】本発明の一実施例である無線通信システムの動作を説明するためのフローチャートである。
【図５】本発明の一実施例である無線通信システムの容量情報が制御信号であり、データ容量が所定以上の場合の動作を説明するためのタイミングチャートである。
【図６】本発明の一実施例である無線通信システムの容量情報が制御信号であり、データ容量が所定以下の場合の動作を説明するためのタイミングチャートである。
【発明を実施するための形態】
【００１７】
以下、本発明の実施形態について図面を参照して説明する。
本発明の一実施例は、社団法人電波産業会が策定したＡＲＩＢ  ＳＴＤ−Ｔ１０２（Association  of  Radio  Industries  and  Businesses  Standard-T102）で定められている通信方式を用いた場合について説明する。
【００１８】
図１は、本発明の一実施例である無線通信システムを説明するための図である。
図１において、データ端末装置１１−１〜１１−Ｎ（Ｎは自然数）で収集されたデータは、無線通信装置１２−１〜１２−Ｎを介して基地局１４に無線伝送Ｃ１０−１〜Ｃ１０−Ｎされ、管理装置１５で記憶・管理される。
信号線１３−１〜１３−Ｎは、データ端末装置１１−１〜１１−Ｎと無線通信装置１２−１〜１２−Ｎ間をパラレル信号、シリアル信号、パラレル信号とシリアル信号の混合の何れかで伝送する。
なお、以下の説明ではデータ端末装置１１−１〜１１−Ｎを代表してデータ端末装置１１と称することとし、無線通信装置１２−１〜１２−Ｎや信号線１３−１〜１３−Ｎについても同様に無線通信装置１２、信号線１３と称する。
【００１９】
〔第１実施形態〕
（コマンド付加による所定容量が１９バイト以上のデータ伝送）
次に、本発明の一実施例である無線通信システムの容量情報がコマンドであり、データ容量が所定以上の場合の動作について図２のタイミングチャートを用いて説明する。
データ端末装置１１は、１９バイト以上のデータ伝送通信を行う場合、データプレス信号（データ送信要求）２００を出力し、シリアルデータ２１０のヘッダーに１９バイト以上であることを示すコマンド２１１を付加し伝送データ２１２を信号線１３でシリアル送信２１３する。
【００２０】
無線通信装置１２は、データプレス信号２００を検出し、送信起動２２１を行う。送信起動後、受信されるシリアルデータ２１０のヘッダー解析を行い、１９バイト以上と判断した場合、送信信号２２０の同期バースト送信区間２２２内に伝送データ２１２を付加せず、同期バーストデータ送信後の伝送データ送信区間２２３内に伝送データ２１２をセットして無線送信を行う。
【００２１】
（コマンド付加による所定容量が１８バイト以下のデータ伝送）
次に、本発明の一実施例である無線通信システムの容量情報がコマンドであり、データ容量が所定以下の場合の動作について図３のタイミングチャートを用いて説明する。
データ端末装置１１は、１８バイト以下のデータ伝送通信を行う場合、データプレス信号（データ送信要求）３００を出力し、シリアルデータ３１０のヘッダーに１８バイト以下（１９バイトより小さい）であることを示すコマンド３１１を付加し伝送データ３１２を信号線１３でシリアル送信３１３する。
【００２２】
無線通信装置１２は、データプレス信号３００を検出し、送信起動３２１を行う。送信起動後、受信されるシリアルデータ３１０のヘッダー解析を行い、１８バイト以下（１９バイトより小さい）と判断した場合、送信信号３２０の同期バースト送信区間３２２内に伝送データ３１２を付加し、無線送信する。このとき、無線通信装置１２は、図２の伝送データ送信区間２２３に該当する伝送データ送信区間（図３では図示略）は空データ、または、予め設定された情報なしを意味するデータを挿入して送信する。
【００２３】
（コマンド付加の動作説明）
次に、本発明の一実施例である無線通信システムの動作について図４のフローチャートを用いて説明する。
データ端末装置１１は、ステップＳ４０１で、データプレス有りでデータ送信か否かを判定し、データプレス無しまたはデータプレス有りでデータ送信なしの場合（ＮＯ）はステップＳ４０１の処理に戻り、データプレス有りでデータ送信の場合（ＹＥＳ）はステップＳ４０２の処理に進む。
【００２４】
データ端末装置１１は、ステップＳ４０２で伝送するデータ容量が１９バイト以上か否かを判定し、データ容量が１９バイト以上の場合（ＹＥＳ）はステップＳ４０３の処理に進み、データ容量が１８バイト以下の場合（ＮＯ）はステップＳ４０４の処理に進む。
ステップＳ４０３では１９バイト以上を示すコマンドを作成し、ステップＳ４０５の処理に進む。
ステップＳ４０４では１８バイト以下を示すコマンドを作成し、ステップＳ４０５の処理に進む。
【００２５】
データ端末装置１１は、ステップＳ４０５でコマンド＋伝送データを無線通信装置１２に送信し、ステップＳ４０６の処理に進む。
【００２６】
無線通信装置１２は、ステップＳ４０６でコマンドを判定し、伝送データが１９バイト以上を示すコマンドの場合（ＹＥＳ）はステップＳ４０７の処理に進み、伝送データが１８バイト以下を示すコマンドの場合（ＮＯ）はステップＳ４０８の処理に進む。
ステップＳ４０７では送信フォーマットのデータ部分に伝送データを挿入し、送信後、処理を終了する。
ステップＳ４０８では送信フォーマットの同期バースト部分に伝送データを挿入し、送信後、処理を終了する。
このように、無線通信装置１２は、送信データが１８バイト以下であれば、伝送データを同期バーストデータとともに同期バースト送信区間に付加して送信するため、同期バースト送信区間の後の伝送データ送信区間でデータを送信するよりも早く送信することができ、伝送時間が短縮される。
【００２７】
〔第２実施形態〕
（制御信号の追加による所定容量が１９バイト以上のデータ伝送）
次に、本発明の一実施例である無線通信システムの容量情報が制御信号であり、データ容量が所定以上の場合の動作について図５のタイミングチャートを用いて説明する。
データ端末装置１１は、１９バイト以上のデータ伝送通信を行う場合、データプレス信号（データ送信要求）５００を出力する。データ端末装置１１は、データプレス５００出力後あるいはデータプレス５００出力とともに、１９バイト以上であることを示す制御信号５３０を出力し、伝送データ５１２をシリアル送信５１３する。
【００２８】
無線通信装置１２は、データプレス信号５００を検出し、送信起動５２１を行う。送信起動後、１９バイト以上であることを示す制御信号５３０を検出した場合、シリアル受信された伝送データ５１２を送信信号５２０の同期バースト送信区間５２２内に伝送データ５２２を付加せず、同期バースト送信後の伝送データ送信区間５２３に伝送データを付加して無線送信を行う。
【００２９】
（制御信号の追加による１８バイト以下のデータ伝送）
次に、本発明の一実施例である無線通信システムの容量情報が制御信号であり、データ容量が所定以下の場合の動作について図６のタイミングチャートを用いて説明する。
データ端末装置１１は、１８バイト以下のデータ伝送通信を行う場合、データプレス信号（データ送信要求）６００を出力する。データ端末装置１１は、データプレス６００出力後あるいはデータプレス５００出力とともに、１８バイト以下であることを示す制御信号６３０を出力し、伝送データ６１２をシリアル送信６１３する。
【００３０】
無線通信装置１２は、データプレス信号６００を検出し、送信起動６２１を行う。送信起動後、１８バイト以下であることを示す制御信号６３０を検出した場合、シリアル受信された伝送データ６１２を送信信号６２０の同期バースト送信区間６２２内に伝送データ６１２を付加し、同期バーストデータとともに伝送データを無線送信する。このとき、無線通信装置１２は、図５の伝送データ送信区間５２３に該当する伝送データ送信区間（図６では図示略）は空データ、または、予め設定された情報なしを意味するデータを挿入して送信する。
このように、無線通信装置１２は、送信データが１８バイト以下であれば、伝送データを同期バーストデータとともに同期バースト送信区間に付加して送信するため、同期バースト送信区間の後の伝送データ送信区間でデータを送信するよりも早く送信することができ、伝送時間が短縮される。
【００３１】
なお、本発明の一実施例として、無線通信システムは、上述の容量情報をコマンドまたは制御信号から選択できる構成としてもよい。
また、制御信号を送信する場合、制御信号の有無に応じて伝送データ容量を区別してもよい。例えばデータ端末装置１１は、伝送データが１８バイト以下である場合にのみデータプレス信号６００とともに制御信号６１２を送信し、無線通信装置１２は制御信号を受信した場合のみ同期バースト送信区間６２２に伝送データを挿入して送信する。これにより、無線通信装置１２は制御信号の有無だけに基づいてに伝送データを同期バースト送信区間６２２に入れるか、伝送データ送信区間に入れるかを決定することができ、制御信号内容やコマンド内容の確認処理が不要となるので、処理時間ひいてはデータ伝送時間をより短縮することができる。
【００３２】
以上のように、本発明の実施形態によると、伝送データ量が所定以下の場合は無線送信するデータの伝送時間を短縮することができる。
【００３３】
以上本発明について詳細に説明したが、本発明は、ここに記載された無線通信システムおよび無線通信装置に限定されるものではなく、上記以外の無線通信システムおよび無線通信装置に広く適用することができることは言うまでもない。
【符号の説明】
【００３４】
１１−１〜１１−Ｎ：データ端末装置、１２−１〜１２−Ｎ：無線通信装置、１３−１〜１３−Ｎ：信号線、１４：基地局、１５：管理装置。
【図１】
2015095761.tif 000003
【図２】
2015095761.tif 000004
【図３】
2015095761.tif 000005
【図４】
2015095761.tif 000006
【図５】
2015095761.tif 000007
【図６】
2015095761.tif 000008